【事件の表示】
　平成　９年特許願第３４４００５号「液晶表示装置及びその製造方法」拒絶査定不服審判事件〔平成１１年　５月１１日出願公開、特開平１１−１２５８３６、請求項の数（１５）〕についてなされた平成１４年６月３日付け審決に対し、東京高等裁判所において審決取消の判決（平成１４年（行ケ）第４７９号　平成１５年１２月１１日判決言渡）があったので、さらに審理のうえ、次のとおり審決する。
【結　論】
　原査定を取り消す。
　本願の発明は、特許すべきものとする。
【理　由】
１．手続の経緯・本願発明
　本願は、平成９年１１月２８日（パリ条約による優先権主張１９９６年１１月２９日、大韓民国）の出願であって、その特許請求の範囲の請求項１ないし１５に係る発明は、平成１２年３月７日付け及び平成１６年７月１４日付けの手続補正書によって補正された明細書及び図面の記載からみて、その請求項１ないし１５に記載されたとおりのものと認める（以下、「本願発明１」ないし「本願発明１５」という。）。
　そのうち、平成１６年７月１４日付け手続補正書により補正された本願発明１，９，１４及び１５を摘記すると以下のとおりである。
「【請求項１】対向する上下基板と、前記上下基板間に介在された液晶を含む液晶表示装置であって、
　下部基板上に形成されるとともにマトリックス形態に配列され、単位セルを限定するゲートバスライン及びデータバスラインと、
　前記ゲートバスライン及びデータバスラインの交点周囲に形成されて前記ゲートバスラインに加えられる電圧によってスイッチングの役割をする薄膜トランジスタと、
　
不透明金属で前記ゲートバスラインと平行に形成されて、共通電極端子に接続される共通電極ラインと、
　前記単位セル内に透明な導電物質で
ゲートバスラインと平行に形成され、前記共通電極ラインにコンタクトされる第１
　前記カウンター電極上部に形成される透明絶縁膜と、
　前記薄膜トランジスタと接続されるとともに前記透明絶縁膜上に重畳され、
前記単位セル内に透明な導電物質で前記ゲートバスラインと平行に形成されて、１本は共通電極ラインに重畳し、他の１本はゲートバスラインに近接して配置される２本の第２メインライン及びこの２本の第２メインライン間を接続する等間隔で平行に配置された多数のバーとを備え、隣接する前記バーと２本のメインラインで囲まれる長方形の小穴状の等間隔で平行な多数のスロットを有して、前記スロットに前記カウンター電極の前記ブランチが露出するように形成して、前記２本の第２メインラインのうち前記共通電極ラインに重畳する１本が前記カウンター電極の第１メインラインに重畳され、
　前記カウンター電極のブランチと前記画素電極のバーが交互に間隔なしに配列され、前記カウンター電極と画素電極とは電気的に絶縁されていることを特徴とする液晶表示装置。」、
「【請求項９】対向する上下基板と、前記上下基板間に介在された液晶を含む液晶表示装置であって、
　下部基板上に形成されるとともにマトリックス形態に配列され、単位セルを限定するゲートバスライン及びデータバスラインと、
　前記ゲートバスライン及びデータバスラインの交点周囲に形成されて前記ゲートバスラインに加えられる電圧によってスイッチングの役割をする薄膜トランジスタと、
　
不透明金属で前記ゲートバスラインと平行に形成されて、共通電極端子に接続される共通電極ラインと、
　前記単位セル内に透明な導電物質
でゲートバスラインと平行に形成され、１本は共通電極ラインとコンタクトし、他の１本はゲートバスラインに近接して配置される２本の第１メインライン及びこの２本の第１メインライン間を接続する等間隔で平行に配置された多数の第１バーとを備え、隣接する前記第１バーと２本の第１メインラインで囲まれる長方形の小穴形状の
　前記カウンター電極上部に形成される透明絶縁膜と、
　前記薄膜トランジスタと接続されるとともに前記透明絶縁膜上に重畳され、前記単位セル内に透明な導電物質で
前記ゲートバスラインと平行に形成され、それぞれ２本の前記第１メインラインに重畳される２本の第２メインライン及びこの２本の第２メインライン間を接続する等間隔で平行に配置された多数の第２バーとを備え、隣接する前記第２バーと２本の第２メインラインで囲まれる長方形の小穴状の等間隔で平行な多数の第２スロットを有して、前記第２スロットに前記カウンター電極の前記第１バーが露出するように形成して、
　
前記カウンター電極の第１バーと前記画素電極の第２バーが交互に間隔なしに配列され、
「【請求項１４】前記カウンター電極と画素電極とが
重畳
「【請求項１５】下部絶縁基板上に透明な
導電
なり、複数のブランチを有する
　前記下部絶縁基板上に金属膜を蒸着し、所定部分にパターニングを行い、前記カウンター電極とコンタクトする共通電極ラインとゲートバスラインとを同時に形成する段階と、
　前記下部絶縁基板上にゲート絶縁膜を形成する段階と、前記ゲートバスラインと所定部分において
重畳
　前記チャネル層と所定部分がそれぞれ
重畳
　前記ソースとコンタクトしつつ、前記カウンター電極の隣接する２つのブランチ間の空間に位置して、前記カウンター電極の隣接する２つの隣接するブランチと間隔のないように配置される複数のバーを有する画素電極を透明導電層で形成する段階とから成ることを特徴とする液晶表示素子の製造方法。」
　
２．補正の根拠について
［本願発明１について］
　平成１６年７月１４日付けの手続補正書によって補正された補正事項が、願書に最初に添付した明細書及び図面に記載した事項の範囲内であるかどうかについて検討する。
（１）「
不透明金属で前記ゲートバスラインと平行に形成されて、共通電極端子に接続される共通電極ラインと
ゲートバスラインと平行に形成され、前記共通電極ラインにコンタクトされる第１
「【００１７】まず、図１を参照して、・・・ゲートバスライン１と・・・不透明金属膜・・・で形成される。・・・
【００１９】・・・このカウンター電極２は、ゲートバスライン１と平行なメインライン２ａを含み、・・・データバスライン４と平行に配置された複数の、枝部としての例えば五つのブランチ２ｂ，２ｃ，２ｄ，２ｅ、２ｆを含む。また、カウンター電極２は、透明な伝導物質、例えばＩＴＯ(indium tin oxide)物質から形成される。
【００２０】・・・このブランチ２ｂ〜２ｆは、ゲートバスライン１に向けて延長され、データバスライン４と平行に設置される。また、ゲートバスライン１と平行なカウンター電極２部分は、共通電極端子（図示せず）に接続される共通電極ライン２−１とコンタクトされる。この場合、共通電極ライン２−１は、伝導特性が優れた不透明金属、例えば、Ａｌ，Ｔａ，Ｔｉ等から形成される。」との記載に基づくものであって、新規事項とはいえない。
（２）「
前記単位セル内に
前記ゲートバスラインと平行に
、一本は共通電極ラインに重畳し、他の一本はゲートバスラインに近接して配置される２本の第２メインライン及びこの２本の第２メインライン間を接続する等間隔で平行に配置された
上記判決に、
『（ア）本願明細書の【発明の詳細な説明】では，〈第１の実施の形態〉に関して，「ゲートバスライン１とデータバスライン５とから囲まれた単位セルの空間にはカウンター電極２が配置される。このカウンター電極２は，ゲートバスライン１と平行なメインライン２ａを含み，またこのメインライン２ａから分岐して等間隔でデータバスライン４と平行に配置された複数の，枝部としての例えば五つのブランチ２ｂ，２ｃ，２ｄ，２ｅ，２ｆを含む。また，カウンター電極２は，透明な伝導物質，例えばＩＴＯ（indium tin oxide）物質から形成される。」（甲第２号証【００１９】，下線付加）と記載されている。
　本願明細書のこの記載及び「本発明の第一の実施の形態によるＬＣＤの平面図である」（甲第２号証１０欄２９行，３０行）図１からすると，本願明細書において，カウンター電極２のメインライン２ａから櫛の歯状に延在する複数の枝部２ｂないし２ｆを意味するものとして，「ブランチ」の語が使用されていることが明らかである。
　本願明細書の【発明の詳細な説明】では，＜第１の実施の形態＞に関して，「画素電極５は，ＴＦＴのソース４ａと接触し，カウンター電極２の上部に透明絶縁膜（図示せず）を介して重畳される。この透明絶縁膜としては，ＳｉＯ２，ＳｉｘＮｙ膜が用いられる。この場合，画素電極５には，カウンター電極２のブランチ２ｂ〜２ｆが露出するように，複数の例えば三つのスロットＳ１，Ｓ２，Ｓ３が形成されている。このスロットＳ１，Ｓ２，Ｓ３の幅は，カウンター電極２のブランチ２ｂ〜２ｆの幅と同一である。この際に，スロットＳ１，Ｓ２，Ｓ３間のカウンター電極をバー５ａ，５ｂ，５ｃ，５ｄとする。この実施の形態においては，バーは四つである。また，スロットＳ１，Ｓ２，Ｓ３間の画素電極５の幅，すなわちバー５ａ〜５ｄの幅は，カウンター電極２のブランチ２ｂ〜２ｆの幅と同一である。」（同【００２１】）とも記載されている。
　
本願明細書のこの記載及び図１からすると，本願明細書において，少なくとも，第１の実施の形態についての説明に関しては，「スロット」の語が，４方が閉止された形状を意味するものとして，
使用されていることが明らか
と記載されるように、「スロット」の語は、４方が閉止された形状を意味するものとして使用されていることが明らかとされており、これは即ち上記メインライン２ａのみならず、下方にもスロットを形成するためのメインライン（ゲート電極と平行であって、第１図に番号５で示されたカウンター電極と重ならない画素電極の部分）を有するものと解することができるから、これを第２メインラインと称することは新規事項とはいえない。
　また、これは第１及び第２メインラインを有する第２実施例を説明した第３図及びそれに関連する記載とも符合するものである。
（３）「
隣接する前記バーと２本のメインラインで囲まれる長方形の小穴状の等間隔で平行な多数のスロットを有して、前記スロットに前記カウンター電極の前記ブランチが露出するように形成して、前記２本の第２メインラインのうち前記共通電極ラインに重畳する１本が前記カウンター電極の第１メインラインに重畳され、
当初明細書に「【００２２】前記画素電極５において・・・ブランチ２ｃ，２ｄ，２ｅのみがスロットＳ１，Ｓ２，Ｓ３を通して露出される。そして、画素電極５は、カウンター電極２より更に大きい範囲に重ねられる。すなわち、カウンター電極２のブランチ２ｂ〜２ｆのすべてを画素電極５のスロットを通して露出させ得る。ここにおいて、
カウンター電極２と画素電極５とがオーバーラップするメインライン２ａ部分に蓄積キャパシタンスＣが形成される
【００２３】このような構成を有するＬＣＤは、図２に示すとおり、液晶内の分子を駆動するカウンター電極２ｂ〜２ｆと画素電極５ａ〜５ｄとが相互に間隔をおかずに配列される。これにより、電界が及ぶ空間が狭くなるので、ＬＣＤの応答速度が改善される。・・・カウンター電極２ｂ〜２ｆと画素電極５ａ〜５ｄとが透明な物質からなることにより、電極２ｂ〜２ｆ、５ａ〜５ｄの上部に存在する液晶を駆動させるために、カウンター電極２ｂ〜２ｆと画素電極５ａ〜５ｄの幅を、本実施の形態の構成のとおり狭く形成する。」と記載されているばかりでなく、上記判決理由においても、「スロット」の語は、４方が閉止された形状を意味するものとして使用されていることが明らかとされているから、上記事項は新規事項とはいえない。
　
［本願発明９について］
（１）「
不透明金属で前記ゲートバスラインと平行に形成されて、共通電極端子に接続される共通電極ラインと、
でゲートバスラインと平行に形成され、１本は共通電極ラインとコンタクトし、他の１本はゲートバスラインに近接して配置される２本の第１メインライン及びこの２本の第１メインライン間を接続する等間隔で平行に配置された多数の第１バーとを備え、隣接する前記第１バーと２本の第１メインラインで囲まれる長方形の小穴形状の
当初明細書に「【００２５】＜第二の実施の形態＞図３は、本発明の第二の実施の形態を説明するためのＬＣＤの平面図である。図３を参照して、下部ガラス基板１０の上部に多数のゲートバスライン１と多数のデータバスライン４が前記第一の実施の形態と同一に配列され・・・
【００２６】・・・カウンター電極２２はゲートバスライン１と平行な二つの第１メインライン２２ａ，２２ａと、この二つの第１メインライン２２ａの間を連結する多数の第１バー・・・とを含む。この第１バー２２ｂ〜２２ｆの間には・・・多数の第１スロット・・・がそれぞれ等間隔で形成される。第１スロット・・・の幅は、カウンター電極２２のバーの幅と同一に形成される。」，「【００２７】・・・共通電極ライン２−１は、ゲートバスライン１と平行なカウンター電極２２部分の中のいずれか一部分とコンタクトするように形成される。この場合、共通電極ライン２−１は、不透明金属・・・から形成される。」と記載されているばかりでなく、上記判決理由においても、「スロット」の語は、４方が閉止された形状を意味するものとして使用されていることが明らかとされているから、上記事項は新規事項とはいえない。
（２）「前記ゲートバスラインと平行に形成され、それぞれ２本の前記第１メインラインに重畳される２本の第２メインライン及びこの２本の第２メインライン間を接続する等間隔で平行に配置された多数のバーとを備え、隣接する前記バーと２本のメインラインで囲まれる長方形の小穴状の等間隔で平行な多数の第２スロットを有して、前記第２スロットに前記カウンター電極の前記第１バーが露出するように形成して、」，「前記カウンター電極の第１バーと前記画素電極の第２バーが交互に間隔なしに配列され、」については、
上記当初明細書の【００２５】〜【００２７】の記載及び同「【００２８】・・・画素電極５０は、ゲートバスライン１と平行な二つの第２メインライン５０ａ，５０ａ間を連結する多数の、例えば四つの第２バー５０ｂ〜５０ｅを備え、・・・第２スロットＳ１，Ｓ２，Ｓ３を通じて第１バー２２ｂ〜２２ｆが露出される。【００２９】第２スロットＳ１，Ｓ２，Ｓ３の幅は、カウンター電極２２の第１バー２２ｂ〜２２ｆと画素電極５０の第２バー５０ｂ〜５０ｅと同一に形成する。」にその根拠となる記載があるから、上記事項は新規事項とはいえない。
　
［本願発明１４について］
　本願発明１４の補正は、「オーバーラップ」との用語を他の記載と平仄を合わせるために、「重畳」としたものであって、明りょうでない記載の釈明に当たる。
　
［本願発明１５について］
　カウンター電極が、「複数のブランチ」を有する点は、当初明細書の【００１９】，【００２０】に記載されている事項である。
　また、「伝導」物質を「導電」物質にすること及び「オーバーラップ」を「重畳」とすることが明りょうでない記載の釈明に当たることは明らかである。
　
　よって、上記補正は、願書に最初に添付した明細書及び図面に記載した事項の範囲内においてなされたものである。
　
３．引用刊行物
　これに対して、原査定の拒絶理由に引用された特開平７−１２８６８３号公報（以下、「引用例１」という。）には、次の事項が記載されている。
（１）請求項１には、「基板上に配置した電極間に電圧を印加し、基板面にほぼ水平方向に電界を発生させ、液晶分子を面内駆動する液晶表示装置に用いる薄膜トランジスター集積装置において、隣接するゲートライン間に対向電極ラインを有し、前記対向電極ラインを前記ゲートラインと同一材料で同時にパターン化した構成を有し、液晶への電界印加はトランジスターのソース・ドレイン側電極と前記ゲートレベルの対向電極ラインとで行うことを特徴とする薄膜トランジスター集積装置。」が記載される。
（２）段落【００１０】〜【００１４】には、次の記載がある。
「【００１０】【実施例】以下、本発明の各実施例の薄膜トランジスター集積装置について、図面を参照しながら順次説明する。図１（ａ）は本発明の第１の実施例の薄膜トランジスター集積装置の１画素部の構造を示す平面模式図、（ｂ）は図中Ａ−Ｂで示す線での断面模式図、（ｃ）はその電気的等価回路である。図１に示すゲートライン１，信号ライン２，ドレインライン３，対向電極ライン４，蓄積容量部５，蓄積容量６，液晶７，ＴＦＴ８，ゲート絶縁膜９，基板１０が主要構成要素である。これは対向電極ライン４をゲートレベルで構成したことが特徴となっている。
【００１１】次に、薄膜トランジスター集積装置の製造方法について説明すると、基板１０上にＡｌ膜を膜厚３５００Å成膜し、ゲートライン１と対向電極ライン４をパターン化する。次に、陽極酸化により、Ａｌ膜表面にＡｌ酸化膜を形成する。次に、ＰＣＶＤ法等により、ＳｉＮｘ／ａ−Ｓｉ：Ｈ／ＳｉＮｘなどの多層膜を形成後パターン化してＴＦＴ８部を作製する。
【００１２】イオン注入法や成膜により高濃度ドープ層［ｎ＋層］形成後、Ｔｉ、Ｚｒ、Ｃｒ、Ｍｏ、Ｗ、Ａｌなどから構成する導電性単層膜または多層膜を成膜後、ドレインライン３と信号ライン２をパターン化する。
【００１３】ゲートライン１，信号ライン２，対向電極ライン４は各々基板１０内の画素の端から端までラインとして連続してつながっており、画素外で取り出し電極端子をパターン化している。本実施例では、Ｔｉ（膜厚１０００Å）／Ａｌ（膜厚２μｍ）の２層膜を使用した。
【００１４】図１（ａ）に示すようにドレインライン３と対向電極ライン４で形成される櫛形電極の電極間距離ａ１，ａ２，ａ３，ａ４はすべて１２．５μｍとし、ドレインライン３と対向電極ライン４の幅はすべて３μｍとした。」
（３）段落【００４８】、【００４９】には、次の記載がある。
「【００４８】以上のすべての実施例では、ドレインライン３と対向電極ライン４の間隔ａ１，ａ２，ａ３，ａ４は、図１（ｂ）〜図１０（ｂ）に示すように、すべて同一の値（ａ１＝ａ２＝ａ３＝ａ４＝１２．５μｍ）とした・・・
【００４９】さらに、以上のすべての実施例では、画素の端から、ドレインライン／対向電極ライン／ドレインライン／対向電極ライン／ドレインラインという並びであるが、この逆順で、対向電極ライン／ドレインライン／対向電極ライン／ドレインライン／対向電極ラインという逆の並びでもよいことは明かである。図１１（ａ），（ｂ）および図１２（ａ），（ｂ）にその各第１１，第１２の実施例を示す。」
　
　同じく特開平８−６２５８６号公報（以下、「引用例２」という。）には、次の事項が記載されている。
（１）請求項１には、「高分子マトリクス中に液晶を分散させた高分子分散型液晶層を電極を内側にして対向配置した一対の基板間に挟持し、前記一対の基板の両外側に一対の偏光板をそれぞれの偏光軸が直交するように配置し、前記一対の基板のうち少なくとも一方の基板の電極を前記基板と水平方向の電界を印加可能な対をなす櫛歯形電極とし、前記一対の偏光板のうち一方の偏光軸が前記対をなす櫛歯形電極の櫛歯の突出方向と３０度ないし４５度で交差した液晶表示素子。」が記載される。
（２）第１の実施例に関して、段落【００１７】には、下基板３上の櫛歯形電極５，６を酸化インジウム錫（ＩＴＯ）にて形成することが記載される（図１，図２参照）。
　
４．対比・判断
［本願発明１について］
　本願発明１と引用例１に記載された発明とを対比する。
（１）引用例１の「ゲートライン」は本願発明の「ゲートバスライン」に、引用例１の「信号ライン」は本願発明の「データバスライン」に、引用例１の「対向電極ライン」は本願発明の「共通電極ライン」に、引用例１の「対向電極ライン」は本願発明の「カウンター電極」に、引用例１の「対向電極ライン上に形成されるゲート絶縁膜」は、本願発明の「カウンター電極上に形成される絶縁膜」に、引用例１の「ドレインライン」は本願発明の「画素電極」に、それぞれ相当する。
（２）引用例１の「薄膜トランジスター」が、本願発明１の「薄膜トランジスタ」に相当するとともに、本願発明１と同様に、「前記ゲートバスライン及びデータバスラインの交点周囲に形成されて前記ゲートバスラインに加えられる電圧によってスイッチングの役割をする」ものであることは明らかである。
（３）引用例１の図１１の「ドレインライン３」は、本願発明１の「画素電極」と同様、前記薄膜トランジスターと接続されるとともに前記ゲート絶縁膜上に重畳されている。
　そして、引用例１の図１１の「ドレインライン３」は、２本のドレインライン３間に対向電極ライン４が露出されているから、引用例１のものも、「前記薄膜トランジスタと接続されるとともに前記透明絶縁膜上に重畳され、前記カウンター電極と協同して液晶を駆動する画素電極を備え」ており、また「前記カウンター電極のブランチと前記画素電極のバーが交互に配列され」たものであるといえる。
　
　上記（１）〜（３）の考察及び技術常識を勘案すれば、両者は、
「対向する上下基板と、前記上下基板間に介在された液晶を含む液晶表示装置であって、
　下部基板上に形成されるとともにマトリックス形態に配列され、単位セルを限定するゲートバスライン及びデータバスラインと、
　前記ゲートバスライン及びデータバスラインの交点周囲に形成されて前記ゲートバスラインに加えられる電圧によってスイッチングの役割をする薄膜トランジスタと、
　不透明金属で前記ゲートバスラインと平行に形成されて、共通電極端子に接続される共通電極ラインと、
前記共通電極ラインにコンタクトされる等間隔で平行に配置された多数のブランチとを備え、前記液晶を駆動するカウンター電極と、
　前記カウンター電極上部に形成される絶縁膜と、
　前記薄膜トランジスタと接続されるとともに前記透明絶縁膜上に重畳され、前記カウンター電極と協同して液晶を駆動する画素電極を備え、
　前記カウンター電極のブランチと前記画素電極のバーが交互に配列され、前記カウンター電極と画素電極とは電気的に絶縁されている液晶表示装置」である点で一致し、次の点で相違する。
　
相違点：
（１）カウンター電極が、本願発明１では、「前記単位セル内に透明な導電物質でゲートバスラインと平行に形成され、前記共通電極ラインにコンタクトされる第１メインライン及びこの第１メインラインから分岐して等間隔で平行に配置された多数のブランチとを備え」たものであるのに対して、引用例１のものは、単に共通電極ラインにコンタクトされ不透明金属で形成された多数のブランチである点。
（２）画素電極が、本願発明１のものは、「前記単位セル内に透明な導電物質で前記ゲートバスラインと平行に形成されて、１本は共通電極ラインに重畳し、他の１本はゲートバスラインに近接して配置される２本の第２メインライン及びこの２本の第２メインライン間を接続する等間隔で平行に配置された多数のバーとを備え、隣接する前記バーと２本のメインラインで囲まれる長方形の小穴状の等間隔で平行な多数のスロットを有して、前記スロットに前記カウンター電極の前記ブランチが露出するように形成して、前記２本の第２メインラインのうち前記共通電極ラインに重畳する１本が前記カウンター電極の第１メインラインに重畳され」たものであるのに対して、引用例１のものは、多数のバーに相当するドレインラインを有するものの、不透明金属で形成されており、またメインラインに相当するものは１本であって、カウンター電極の第１メインラインに重畳されるメインラインを有するものではないである点。
（３）本願発明１は、カウンター電極のブランチと前記画素電極のバーが「間隔なしに」交互に配列されているのに対して、引用例１のものは、間隔を有して配置されている点。
（４）絶縁膜が、本願発明１は「透明」絶縁膜であるのに対して、引用例１のものは、透明であるとの記載がない点。
　
　上記相違点（１）ないし（４）について検討するに、上記相違点は、要するに、本願発明１が
（ｉ）カウンター電極及び画素電極を透明な導電物質により構成し、
（ｉｉ）画素電極は、隣接するバーと２本のメインラインで囲まれる長方形の小穴状の等間隔で平行な多数のスロットを有し、
（ｉｉｉ）カウンター電極のブランチと画素電極のバーを間隔なしに配列し、
（ｉｖ）第２メインラインのうちの１本が、前記共通電極ラインに重畳する前記カウンター電極の第１メインラインに重畳する、
との技術的事項を有することを示すものであるが、この点は引用例２にも記載されていない。
　裁判の過程で提示された特公昭６３−２１９０７号公報には、櫛歯状の電極を透明電極で構成することが記載されているものの、上記（ｉｉ）〜（ｉｖ）の点を開示するものではないから、結局本願発明１が、引用例等から容易に発明をすることができるとはいえない。
　
［本願発明９について］
　本願発明９における「スロット」は、本願明細書の他の記載及び図面を参酌すれば、４方が閉止された窓状の開口であり、換言すれば、その周囲４方を電極により囲まれた細長い長方形状の小穴を意味し、櫛形電極により形成されるコ字状の溝はこれに含まれないものとして、また、この櫛形電極は、「ブランチ」の用語を用いて特定され、「スロット」は、４方が閉止された窓状の開口を形成する形状の電極を特定する用語として用いられている、と理解するのが合理的である。そして、［本願発明１について］と同様の上記考察及び技術常識を勘案すると、両者は、
「対向する上下基板と、前記上下基板間に介在された液晶を含む液晶表示装置であって、
　下部基板上に形成されるとともにマトリックス形態に配列され、単位セルを限定するゲートバスライン及びデータバスラインと、
　前記ゲートバスライン及びデータバスラインの交点周囲に形成されて前記ゲートバスラインに加えられる電圧によってスイッチングの役割をする薄膜トランジスタと、
　不透明金属で前記ゲートバスラインと平行に形成されて、共通電極端子に接続される共通電極ラインと、
　前記液晶を駆動するカウンター電極と、
　前記カウンター電極上部に形成される透明絶縁膜と、
　前記薄膜トランジスタと接続されるとともに前記透明絶縁膜上に重畳され、前記カウンター電極と協同して液晶を駆動する画素電極を備え、
　前記カウンター電極の第１バーと前記画素電極の第２バーが交互に配列され、前記カウンター電極と画素電極とは電気的に絶縁されている液晶表示装置」である点で一致し、次の点で相違する。
　
相違点：
（１）カウンター電極が、本願発明９では、「前記単位セル内に透明な導電物質でゲートバスラインと平行に形成され、１本は共通電極ラインとコンタクトし、他の１本はゲートバスラインに近接して配置される２本の第１メインライン及びこの２本の第１メインライン間を接続する等間隔で平行に配置された多数の第１バーとを備え、隣接する前記第１バーと２本の第１メインラインで囲まれる長方形の小穴形状の等間隔で平行な多数の第１スロットを有して」いるのに対して、引用例１のものは不透明金属である点。
（２）画素電極が、本願発明９のものは、「前記単位セル内に透明な導電物質で前記ゲートバスラインと平行に形成され、それぞれ２本の前記第１メインラインに重畳される２本の第２メインライン及びこの２本の第２メインライン間を接続する等間隔で平行に配置された多数の第２バーとを備え、隣接する前記第２バーと２本の第２メインラインで囲まれる長方形の小穴状の等間隔で平行な多数の第２スロットを有して、前記第２スロットに前記カウンター電極の前記第１バーが露出するように形成して」いるのに対して、引用例１のものは、・・・である点。
（３）本願発明９は、カウンター電極の第１バーと画素電極の第２バーが「間隔なしに」交互に配列されているのに対して、引用例１のものは、間隔を有して配置されている点。
（４）絶縁膜が、本願発明９は「透明」絶縁膜であるのに対して、引用例１のものは、透明であるとの記載がない点。
　
　上記相違点（１）ないし（４）について検討するに、上記相違点は、要するに、本願発明９が
（ｉ）カウンター電極及び画素電極を透明な導電物質により構成し、
（ｉｉ）カウンター電極が、隣接する前記第１バーと２本の第１メインラインで囲まれる長方形の小穴形状の等間隔で平行な多数の第１スロットを有しており、また、画素電極が、隣接する前記第２バーと２本の第２メインラインで囲まれる長方形の小穴状の等間隔で平行な多数の第２スロットを有し、
（ｉｉｉ）カウンター電極の第１バーと画素電極の第２バーを間隔なしに配列し、
（ｉｖ）第２メインラインのうちの１本が、前記共通電極ラインに重畳する前記カウンター電極の第１メインラインに重畳する、
との技術的事項を有することを示すものであるが、この点は引用例２にも記載されていない。
　裁判の過程で提示された特公昭６３−２１９０７号公報には、櫛歯状の電極を透明電極で構成することが記載されているものの、上記（ｉｉ）〜（ｉｖ）の点を開示するものではないから、結局本願発明９が、引用例等から容易に発明をすることができるとはいえない。
　
［本願発明１５について］
　本願発明１５は、要するに、カウンター電極を透明な導電物質から形成し、画素電極を透明導電層で形成することを前提とした液晶表示素子の製造方法であって、重畳する各層をどのように形成するかを段階的に規定したものであるが、引用例１，２に透明な導電物質から形成することについて記載がないことは上記のとおりであり、また裁判の過程で提示された特公昭６３−２１９０７号公報に、櫛歯状の電極を透明電極で構成することが記載されているとしても、これらの電極は互いに重畳するものではないから、そのような製造方法が導けるとはいえない。
　
　よって本願発明１５が、引用例１，２から容易に発明をすることができるとはいえない。
　
［その他の発明について］
　請求項２〜８に係る発明は、請求項１を引用して本願発明１をさらに限定するものであり、また請求項１０〜１４に係る発明は、請求項９を引用して本願発明９をさらに限定するものであって、上記と同様の理由により、引用例１，２に基づいて当業者が容易に発明できたものであるとはいえず、したがって特許法第２９条第２項の規定に該当するとはいえない。
　
　そして、請求項１ないし１５に係る発明は、明細書記載の作用効果を奏するものである。
　
５．むすび
　したがって、本願発明１ないし１５は、引用例１，２に記載された発明に基いて当業者が容易に発明できたものであるということはできない。
　また、他に本願を拒絶すべき理由を発見しない。
　よって、結論のとおり審決する。